(57)【要約】【課題】主に、空中に浮かせた時に意外性を得られるようにする。【解決手段】空中浮遊物体１は、上下方向Ｚへ延びる筒体２の内部に、揚力を発生可能な揚力発生装置３を設置したものとされている。筒体２は、高さＨが直径Ｄ１よりも大きい縦長の形状とされている。  揚力発生装置３は、縦長の筒体２の上下方向Ｚの中間部１３に設置することができる。  縦長の筒体２は、上端部２１が下端部２２よりも大径とすることができる。  揚力発生装置３は、縦長の筒体２に着脱可能に取付けることができる。  揚力発生装置３はドローン１１とすることができる。ドローン１１は、縦長の筒体２の中間部１３と同径の円形状をした取付枠部３２を有することができる。【選択図】図３
2020025736.tif 000002
【特許請求の範囲】
【請求項１】
上下方向へ延びる筒体の内部に、揚力を発生可能な揚力発生装置を設置すると共に、前記筒体は、高さが直径よりも大きい縦長の形状とされていることを特徴とする空中浮遊物体。
【請求項２】
請求項１に記載の空中浮遊物体において、
前記揚力発生装置は、縦長の前記筒体の上下方向の中間部に設置されていることを特徴とする空中浮遊物体。
【請求項３】
請求項１または請求項２に記載の空中浮遊物体において、
縦長の前記筒体は、上端部が下端部よりも大径であることを特徴とする空中浮遊物体。
【請求項４】
請求項２または請求項２を引用する請求項３に記載の空中浮遊物体において、
前記揚力発生装置は、縦長の前記筒体に着脱可能に取付けられていることを特徴とする空中浮遊物体。
【請求項５】
請求項１ないし請求項４のいずれか１項に記載の空中浮遊物体において、
前記揚力発生装置はドローンであり、該ドローンは、縦長の前記筒体の中間部と同径の円形状をした取付枠部を有していることを特徴とする空中浮遊物体。
【請求項６】
請求項１ないし請求項４のいずれか１項に記載の空中浮遊物体において、
前記揚力発生装置はドローンであり、該ドローンは、プロペラガードを有すると共に、該プロペラガードの外側に、縦長の前記筒体の中間部と同径の円形状をした取付枠部を有していることを特徴とする空中浮遊物体。
【請求項７】
請求項５または請求項６に記載の空中浮遊物体において、
前記取付枠部と縦長の前記筒体との間に固定部が設けられたことを特徴とする空中浮遊物体。
【発明の詳細な説明】
【技術分野】
【０００１】
この発明は、空中浮遊物体に関するものである。
【背景技術】
【０００２】
例えば、人形の頭にプロペラを取付けて人形を空中に浮遊させるようにした空中浮遊玩具が存在している（例えば、特許文献１参照）。
【先行技術文献】
【特許文献】
【０００３】
【特許文献１】特開２００６−２４７０５６号公報
【発明の概要】
【発明が解決しようとする課題】
【０００４】
しかしながら、上記特許文献１に記載された空中浮遊玩具は、プロペラが外部に露出されているので、人形が空中に浮遊しても特に意外性を感じるようなものではなかった。また、視覚効果についても、特に高いものではなかった。
【０００５】
そこで、本発明は、主に、上記した問題点を解決することを目的としている。
【課題を解決するための手段】
【０００６】
上記課題を解決するために、本発明は、上下方向へ延びる筒体の内部に、揚力を発生可能な揚力発生装置を設置すると共に、前記筒体は、高さが直径よりも大きい縦長の形状とされている空中浮遊物体を特徴とする。
【発明の効果】
【０００７】
本発明によれば、上記構成によって、空中に浮かせた時に意外性を得ることなどができる。
【図面の簡単な説明】
【０００８】
【図１】本実施の形態にかかる空中浮遊物体が空中に浮遊している状態を示す図である。
【図２】図１の空中浮遊物体の斜視図である。
【図３】図２の縦断面図である。
【図４】揚力発生装置に備えられる取付枠部の斜視図である。
【図５】揚力発生装置に備えられるプロペラガードおよび取付枠部の斜視図である。
【図６】縦長の筒体に対する取付枠部の取付構造を示す部分拡大縦断面図である。
【図７】比較例の縦断面図である。
【図８】他の例の縦断面図である。
【図９】図８の斜視図である。
【発明を実施するための形態】
【０００９】
以下、本実施の形態を、図面を用いて詳細に説明する。
図１〜図９は、この実施の形態を説明するためのものである。
【実施例１】
【００１０】
＜構成＞以下、この実施例の構成について説明する。
【００１１】
（１）図１は、この実施例にかかる空中浮遊物体１が空中に浮遊している状態を示す図である。この空中浮遊物体１は、図２に示すように、上下方向Ｚへ延びる筒体２の内部に、揚力を発生可能な揚力発生装置３を設置したものとされる。筒体２は、図３に示すように、高さＨが直径Ｄ１よりも大きい縦長の形状のもの（縦長筒体）とされる（Ｈ＞Ｄ１）。
【００１２】
ここで、空中浮遊物体１は、空中を浮遊するようにした物体のことであり、主に、玩具などとして使用することができる。空中浮遊物体１は、どのようなものとしても良いが、好ましくは、以下のようにする。
【００１３】
筒体２は、軸線方向を上下方向Ｚへ向けた縦向きの状態を基本姿勢として使用するものとされる。筒体２は、周壁を有すると共に、周壁の両端部（上下端部）に開口部を有する中空体である。周壁の内部は、揚力発生装置３の設置空間および通風路として使用される。筒体２は、円形断面のものとするのが好ましい。円形は真円または真円に近い形状にするのが好ましいが、長円や楕円などを含むこともできる。但し、筒体２の断面形状は、円形断面に限るものではなく、例えば、角形断面などとすることもできる。筒体２は、周壁がほぼ均一肉厚に形成されている。筒体２は、所要の形状保持性を有すると共に、弾性変形が可能なものとすることができる。筒体２は、空中浮遊物体を空中に浮遊させるためには、極力軽量化するのが好ましい。
【００１４】
揚力発生装置３は、筒体２に揚力を発生させて浮かせるための装置である。揚力発生装置３は、どのようなものとしても良く、例えば、筒体２の内部にプロペラやブロワファンなどを直接取付けたものなどとすることができる。また、揚力発生装置３には、例えば、ドローン１１などを用いることもできる。具体的な揚力発生装置３については、後述する。
【００１５】
高さＨは、筒体２の軸線方向の長さである。直径Ｄ１は、筒体２の最大径部分の寸法（内径または外径）とするのが好ましい。但し、筒体２の最小径部分の直径Ｄ２を基準にしても良い。縦長の形状は、浮遊することが想像し難い物品の形状の一つとして選ばれたものである。
【００１６】
（２）揚力発生装置３は、縦長の筒体２の上下方向Ｚの中間部１３に設置されても良い。
【００１７】
ここで、中間部１３は、縦長の筒体２を上下方向Ｚに３分割（上部１２、中間部１３、下部１４）した時に、真中に位置する領域または部位のことである。揚力発生装置３は、縦長の筒体２の上下方向Ｚの上部１２や下部１４に設置することも可能であるが、中間部１３に設置するのが好ましい。
【００１８】
（３）縦長の筒体２は、上端部２１を下端部２２より大径にしても良い。
【００１９】
ここで、上端部２１が下端部２２よりも大径とは、上端部２１の直径Ｄ１が下端部２２の直径Ｄ２よりも大きくなっていることである（Ｄ１＞Ｄ２）。この際、縦長の筒体２は、例えば、周壁を段付きの形状にすることなどもできるが、上端部２１から下端部２２へ向けて徐々に縮径する漸縮形状とするのが好ましい。これにより、縦長の筒体２は、中空の逆円錐台形状のものとなる。逆円錐台形状をした物品は、身近に割と存在しているので、空中浮遊物体１を身の回りの物品に紛れさせるのに適した形状にできる。身の回りの逆円錐台形状をした物品には、例えば、カップやインスタント食品の容器などがある。
【００２０】
中空の逆円錐台形状をした縦長の筒体２は、例えば、紙や、プラスチック（例えば、発泡スチロール）などの素材を用いて形成することができる。また、縦長の筒体２は、紙や各種のプラスチックなどを適宜組み合わせた複層構造や多層構造を有するものとしても良い。そして、中空の逆円錐台形状をした縦長の筒体２は、外周面に印刷などを施すことによって、例えば、縦長の筒体２をインスタント食品の容器などに擬態させることが可能である。
【００２１】
（４）揚力発生装置３は、縦長の筒体２に対して着脱可能に取付けても良い。
【００２２】
ここで、揚力発生装置３は、縦長の筒体２に着脱不能に取付けることもできるが、着脱可能に取付けるのが好ましい。着脱可能とは、縦長の筒体２に対して揚力発生装置３が、空中浮遊物体１を壊すことなく取付けや、取外しができるように設置されていることである。しかも、簡単な操作で何度でも取付けや、取外しができるように設置されていることである。揚力発生装置３の着脱構造は、どのようなものとしても良いが、好ましくは、以下のようにする。
【００２３】
（５）揚力発生装置３は、図２に示すような、ドローン１１としても良い。そして、ドローン１１は、図４に示すような、縦長の筒体２の中間部１３と同径の円形状をした取付枠部３２を有しても良い。
【００２４】
ここで、ドローン１１は、機体１５に対して複数のプロペラ１６（回転翼）を備えた無人航空機のことである。各プロペラ１６は、平面的に見て、機体１５の対称的な位置に取付けられる。各プロペラ１６は、それぞれ同じものとされて、水平に置かれた機体１５から上下方向Ｚへ延びる（モータの）回転軸１７に高さを揃えて取付けられている。ドローン１１には、様々なものが存在しているが、例えば、機体１５の前後左右に合計４つのプロペラ１６を備えたクワッドコプターなどがある。なお、ドローン１１はクワッドコプターに限るものではないが、以下、クワッドコプターを例として説明する。
【００２５】
円形状の取付枠部３２は、縦長の筒体２に対するドローン１１の着脱構造の主要部となるものである。円形状の取付枠部３２は、後述するプロペラガード３１を介さずに直接ドローン１１に対して着脱可能なものとすることができる。例えば、円形状の取付枠部３２に対して、機体１５へ着脱可能に取付けるための機体取付部３５や、取付枠部３２と機体取付部３５とを連結する連結部３６を一体に設けることで、取付枠部３２はドローン１１に対して直接着脱可能となる。あるいは、後述するプロペラガード３１の保護枠部３４を円形状に加工することで、プロペラガード３１を取付枠部３２としてそのまま使用できる形状にしても良い。但し、筒体２を円形以外の断面形状にした場合には、取付枠部３２は、筒体２の断面形状に合わせた形状、例えば、多角形状などにすることができる。
【００２６】
取付枠部３２は、その外径が、縦長の筒体２の中間部１３（の取付位置）の内径とほぼ同径とされる。取付枠部３２は、所要の形状保持性を有すると共に、僅かに弾性変形が可能なものとすることができる。取付枠部３２は、金属製や樹脂製などとすることができる。
【００２７】
そして、円形状の取付枠部３２は、例えば、縦長の筒体２の内部に水平な状態で圧入（または、縦長の筒体２の軸線方向と直交するように圧入）することによって、縦長の筒体２の内部にドローン１１を係止させることができる。なお、縦長の筒体２を逆円錐台形状にすると、取付枠部３２を縦長の筒体２の内部へ圧入・保持し易くすることができるので、ドローン１１の着脱にとっては有利となる。
【００２８】
（６）変形例として、揚力発生装置３は、ドローン１１としても良い。そして、ドローン１１は、図５に示すようなプロペラガード３１を有しても良い。更に、プロペラガード３１の外側に、縦長の筒体２の中間部１３と同径の円形状をした取付枠部３２を有しても良い。
【００２９】
ここで、ドローン１１については、上記と同様である。プロペラガード３１は、プロペラ１６をガードするために、ドローン１１に備えられる保護部材である。プロペラガード３１は、ドローン１１に対して着脱可能に設置される。
【００３０】
一般的なプロペラガード３１は、プロペラ１６を効率的にガードするために、各プロペラ１６の回転領域の最外周部分を取囲む４つの円弧部分３３を互いに直接または間接的に連結して成る複合形状をした保護枠部３４を有している。更に、プロペラガード３１は、上記した保護枠部３４を機体１５に着脱可能に取付けるための機体取付部３５や、保護枠部３４と機体取付部３５とを連結する連結部３６などを適宜有している。
【００３１】
円形状の取付枠部３２は、プロペラガード３１の保護枠部３４とは別の構成として備えられると共に、保護枠部３４よりも大きいか、または、プロペラガード３１の保護枠部３４に外接する大きさとされる。円形状の取付枠部３２は、プロペラガード３１と別体に形成して、取付枠部３２における、プロペラガード３１の各円弧部分３３と近接する部分または当接する部分などを、クリップや粘着テープなどの固定具を用いてプロペラガード３１に固定させて使うようにすることができる。または、円形状の取付枠部３２は、保護枠部３４を有するプロペラガード３１に一体に形成することもできる。
【００３２】
（７）図６に示すように、取付枠部３２と縦長の筒体２との間に固定部４１を設けても良い。
【００３３】
ここで、固定部４１は、取付枠部３２と縦長の筒体２とを（上記した圧着以外のやり方で）固定するための部材または形状のことである。固定部４１は、上記した圧着と組合わせるようにしても良い。固定部４１は、取付枠部３２と縦長の筒体２とを着脱可能に固定できるようにするのが好ましい。
【００３４】
固定部４１は、取付枠部３２の一部として設けたり、縦長の筒体２の一部として設けたり、取付枠部３２および縦長の筒体２の一部として両方にそれぞれ設けたりすることができる。また、固定部４１は、取付枠部３２および縦長の筒体２とは別部材で設けて、取付枠部３２と縦長の筒体２との間に設置することなどができる。
【００３５】
固定部４１を取付枠部３２や縦長の筒体２の一部として設ける場合には、固定部４１は、例えば、係止用突起４２（係止爪や係止ピンなど）や係止穴４３などの係止保持部などとすることができる。この場合、取付枠部３２から外方へ向けて係止用突起４２を突出すると共に、縦長の筒体２（の中間部１３）に係止用突起４２が入る係止穴４３を設けるようにしても良い。固定部４１を、係止用突起４２と係止穴４３とで構成することによって、取付枠部３２と縦長の筒体２とは着脱可能になる。但し、固定部４１は、上記に限るものではない。
【００３６】
この実施例では、係止用突起４２および係止穴４３は、周方向に所要の間隔を有して複数個（例えば、図４、図５では４個）設けられている。係止用突起４２は、係止穴４３への挿入をガイドするための（先端側へ向かって上がり勾配の）ガイドテーパ部４２ａを下部に有する側面視ほぼ三角形状のものなどとしても良い。このような固定部４１を設けることにより、縦長の筒体２に対する取付枠部３２の軸線方向および周方向の位置決めが可能となる。また、固定部４１を設けることで、取付枠部３２を縦長の筒体２に圧着させる必要をなくすことも可能になる。
【００３７】
また、固定部４１を取付枠部３２や縦長の筒体２とは別部材として設ける場合には、例えば、ピンや楔などの楔着具や、粘着テープなどを固定部４１として用いることができる。ピンや楔などの楔着具は、縦長の筒体２と取付枠部３２との間に、縦長の筒体２の軸線方向に沿って一箇所または数箇所打ち込むようにする。粘着テープとする場合には、取付枠部３２の適宜位置を縦長の筒体２へ適宜止めるようにする。なお、上記した係止用突起４２と係止穴４３とによる固定部４１に加えて粘着テープなどによる固定部４１を組合わせて用いることで、縦長の筒体２と取付枠部３２とを、より強固に固定させるようにしても良い。
【００３８】
＜作用＞以下、この実施例の作用について説明する。
【００３９】
まず、揚力発生装置３としてのドローン１１の飛行について説明する。
【００４０】
ドローン１１は、プロペラ１６を回転させて、上から下へ向かう気流を生じさせることにより、機体１５に揚力を発生させて、飛行し得るようにしたものである。この際、隣接するプロペラ１６を、逆方向に回転させることで、機体１５に作用される回転力をキャンセルして、安定して飛行することが可能になる。
【００４１】
ドローン１１は、各プロペラ１６の回転数を変化させることで、直進や旋回や宙返りなどを行うことができる。
【００４２】
例えば、ドローン１１を前進させる場合には、前側のプロペラ１６の回転数を遅くして、後側のプロペラ１６の回転数を早くする。ドローン１１を後退させる場合には、前側のプロペラ１６の回転数を早くして、後側のプロペラ１６の回転数を遅くする。ドローン１１を右へ移動させる場合には、右側のプロペラ１６の回転数を遅くして、左側のプロペラ１６の回転数を早くする。ドローン１１を左へ移動させる場合には、左側のプロペラ１６の回転数を遅くして、右側のプロペラ１６の回転数を早くする。この際、機体１５は、回転数の遅い側へ向かって進行し、進行する側が低くなるように僅かに傾斜された状態になる。
【００４３】
また、例えば、ドローン１１を右旋回させる場合には、右前と左後のプロペラ１６の回転数を早くして、左前と右後のプロペラ１６の回転数を遅くする。ドローン１１を左旋回させる場合には、左前と右後のプロペラ１６の回転数を早くして、右前と左後のプロペラ１６の回転数を遅くする。
【００４４】
次に、揚力発生装置３としてドローン１１を用いた縦長の筒体２の浮遊について説明する。
【００４５】
縦長の筒体２の内部（上下方向Ｚの中間部１３）にドローン１１を取付けた状態でドローン１１のプロペラ１６を回転させる。これにより、縦長の筒体２の内部に上から下へ向かう気流が生じるので、縦長の筒体２を、主に縦向きの状態のまま空中に浮遊させることができる。そして、このような縦長の筒体２は、例えば、人のいる場所から少し離れた、視界内には入るが目に付き難い（または、気に成り難い）位置などに置いておき、タイミングを見計らっていきなり宙に浮かせることで、意外性を感じさせることができる。
【００４６】
＜効果＞この実施例によれば、以下のような効果を得ることができる。
【００４７】
（効果１）筒体２の内部に揚力発生装置３を設置した。そして、揚力発生装置３で筒体２に揚力を発生させることにより、図１に示すように、筒体２を空中に浮遊（飛行）させることができる。
【００４８】
この際、例えば、図７に示すような、縦に短い円盤状の筒体２（短筒体２Ａ）の内部に揚力発生装置３を設置して、揚力発生装置３で縦に短い円盤状の筒体２（短筒体２Ａ）を空中に浮かせることが考えられるが、縦に短い円盤状の筒体２（短筒体２Ａ）が浮遊することは感覚的に受入れ易いので、いきなり宙に浮かせたとしても意外性を得るのは難しい。また、縦に短い円盤状の筒体２（短筒体２Ａ）は、揚力発生装置３を隠して設けることが困難な形状なので、揚力発生装置３の存在を簡単に見破られてしまう可能性が高い。
【００４９】
そこで、この実施例では、筒体２を縦長の形状にした（縦長体）。縦長の筒体２は、図７のような、縦に短い円盤状の筒体２（短筒体２Ａ）などと比べて宙に浮くことが感覚的に想像し難いものなので、縦長の筒体２をいきなり浮遊させることで、不思議感を演出して意外性を得ると共に、比較的高い視覚効果を得ることができる。そして、筒体２の内部の揚力発生装置３が外部から見えないことで、あたかも、縦長の筒体２がひとりでにまたは超能力によって浮き上がっているかのような演出効果や、または、透明人間や幽霊が縦長の筒体２を運んでいるかのような演出効果を得ることができる。特に、縦長の筒体２を縦向きの状態で、漂うように浮かせると演出効果が大きくなる。また、縦長の筒体２は、揚力発生装置３を内部に隠し易い形状をしているので、揚力発生装置３の存在を見破られ難くする効果が期待できる。なお、縦長の筒体２をいきなり浮遊させるような使い方以外にも、例えば、縦長の筒体２を決められた場所で浮かせた状態にして展示を行うことで、所要の広告効果を得ることができる。よって、縦長の筒体２を浮かせることで、縦に短い円盤状の筒体２の場合と比べて高い興趣性を得ることができる。
【００５０】
（効果２）例えば、図８、図９に示すように、揚力発生装置３は、縦長の筒体２の上部に対して設置することができる。しかし、このようにすると、縦長の筒体２に対する揚力発生装置３の上下方向Ｚの配置のバランスが上に偏ることで、揚力発生装置３の下側に発生されるプロペラ気流と、縦長の筒体２の揚力発生装置３よりも下側の部分５１との干渉が大きくなって揚力発生装置３の揚力が奪われてしまうため、縦長の筒体２を安定して浮遊させることが難しくなる。また、空中浮遊物体１の飛行が安定しないので、揚力発生装置３が消費する電力も多くなる。
【００５１】
しかも、縦長の筒体２の上部に配置された揚力発生装置３の存在が、上から覗いた時に外部から丸見えになるので、浮遊させる前に縦長の筒体２の近くにいる人に発見され易くなる。
【００５２】
反対に、揚力発生装置３は、縦長の筒体２の下部に対して設置することができる。しかし、このようにすると、縦長の筒体２に対する揚力発生装置３の上下方向Ｚの配置のバランスが下に偏ることで、縦長の筒体２の揚力発生装置３よりも上側の部分が下側の部分５１よりも重くなる（トップヘビー状態となる）ため、飛行姿勢の維持が難しくなり、飛行が不安定になる。また、空中浮遊物体１の飛行が安定しないので、揚力発生装置３が消費する電力も多くなる。
【００５３】
しかも、縦長の筒体２の下部に配置された揚力発生装置３の存在が、下から覗いた時に外部から丸見えになるので、浮遊させた時に縦長の筒体２の近くにいる人に発見され易くなる。
【００５４】
そこで、この実施例では、図２、図３に示すように、揚力発生装置３を縦長の筒体２の上下方向Ｚの中間部１３に設置するのを最も望ましい構成としている。これにより、縦長の筒体２に対する揚力発生装置３の上下方向Ｚの配置のバランスが良くなり、揚力発生装置３の下側に発生されるプロペラ気流と、縦長の筒体２の揚力発生装置３よりも下側の部分５１との干渉が少なくなるため、縦長の筒体２を安定して浮遊させることができる。また、空中浮遊物体１の飛行が安定するので、揚力発生装置３の電力の消費も抑えられる。
【００５５】
そして、揚力発生装置３を縦長の筒体２の上下方向Ｚの中間部１３に配置することで、縦長の筒体２の内部に配置された揚力発生装置３の存在を、浮遊の前後に外部から目立ち難くして、縦長の筒体２の近くにいる人から発見され難くすることが容易となる。
【００５６】
（効果３）縦長の筒体２を上端部２１が下端部２２よりも大径となるようにしても良い。例えば、縦長の筒体２を中空の逆円錐台形状にしても良い。これにより、縦長の筒体２を、浮遊することが不自然に見えるようにすると共に、浮遊させた時に不安定に浮遊して見える形状にして、浮遊させた時の意外性を増すことができる。また、上端部２１が下端部２２よりも大径の縦長の筒体２は、日常的には、例えば、カップ麺やカップスープなどのようなインスタント食品のカップ状をした容器などに多く見られるので、実際のインスタント食品が宙に浮いているかのような錯覚を生じさせることができる。そして、上端部２１が下端部２２よりも大径の縦長の筒体２は、上からの空気の吸い込みを良くすると共に、下へ抜ける空気の流速を高められる形状であるため、上下方向Ｚに均一径の筒体２と比べて揚力を向上する効果が期待できる。
【００５７】
（効果４）揚力発生装置３を縦長の筒体２に対して、着脱可能に取付けても良い。これにより、揚力発生装置３を、縦長の筒体２に取付けたり、縦長の筒体２から取外したりして自由に使うことができる。
【００５８】
（効果５）揚力発生装置３をドローン１１としても良い。これにより、既存のドローン１１をそのまま縦長の筒体２の内部に設置して揚力発生装置３として使うことができるので、構造的に簡単であり、適当な縦長の筒体２を探してきて内部にドローン１１を取付けるだけで簡単に空中浮遊物体１を作ることができる。
【００５９】
また、縦長の筒体２を浮遊させるための揚力発生装置３にドローン１１を使うことで、ドローン１１を縦長の筒体２に擬態させることができる。更に、上端部２１が下端部２２よりも大径の縦長の筒体２を浮遊させるための揚力発生装置３にドローン１１を使うことで、ドローン１１を上記したような身の回りにある物品に擬態させることができる。これらによって、ドローン１１の用途を増やすことができる。
【００６０】
そして、図４に示すように、ドローン１１は、縦長の筒体２の中間部１３と同径の円形状をした取付枠部３２を有しても良い。これにより、図５に示すような一般的な形状をしたプロペラガード３１を用いずに直接機体１５に取付枠部３２を取付けることが可能になる。よって、機体１５に対するプロペラガード３１の取付けの手間と、プロペラガード３１に対する取付枠部３２の取付けの手間とをなくして、容易にドローン１１に取付枠部３２を取付けられるようになると共に、空中浮遊物体１の軽量化を図ることができる。
【００６１】
この際、取付枠部３２（の外径）を、縦長の筒体２の中間部１３（の内径）と同径の円形状にしても良い。これにより、取付枠部３２の大きさによって、縦長の筒体２の中間部１３に対する取付枠部３２の取付位置が規定できると共に、縦長の筒体２へ円形状の取付枠部３２を装着した時に、円形状の取付枠部３２が、縦長の筒体２の中間部１３に全周（周方向の全域）に亘って線接触状態で圧着させることができる。そのため、縦長の筒体２に対してドローン１１が下方へズレ落ち難くなり、また、縦長の筒体２の中間部１３に対する規定の取付位置に対して正確に、また、水平を正確に保った状態でドローン１１を設置することが容易となる。更に、円形状の取付枠部３２は、自己の弾性変形力や縦長の筒体２の弾性変形力などによって縦長の筒体２の中間部１３にしっかりと圧着保持させることができるので、縦長の筒体２に容易にドローン１１を装着できると共に、縦長の筒体２から容易にドローン１１を引抜くことができる。
【００６２】
（効果６）揚力発生装置３をドローン１１としても良い。これにより、上記と同様の効果を得ることができる。
【００６３】
ドローン１１に、図５に示すようなプロペラガード３１を取付けても良い。これにより、プロペラガード３１によって、プロペラ１６と縦長の筒体２との干渉を防止できる。
【００６４】
そして、プロペラガード３１に円形状をした取付枠部３２を設けても良い。これにより、（ドローン１１に合わせて作られた）プロペラガード３１を利用して取付枠部３２をドローン１１に装着することができ、取付枠部３２によってドローン１１を上記と同様に筒体２に設置することができる。
【００６５】
（効果７）図６に示すように、取付枠部３２と縦長の筒体２との間に固定部４１を設けても良い。これにより、上記した円形状の取付枠部３２による取付け（圧着）に加えてまたは替えて、固定部４１によって取付枠部３２を縦長の筒体２に固定できるようになり、より確実な固定状態が得られるようになる。
【符号の説明】
【００６６】
１      空中浮遊物体
２      筒体
３      揚力発生装置
１１    ドローン
１３    中間部
２１    上端部
２２    下端部
３１    プロペラガード
３２    取付枠部
４１    固定部
Ｄ１    直径
Ｄ２    直径
Ｈ      高さ
Ｚ      上下方向
【図１】
2020025736.tif 000003
【図２】
2020025736.tif 000004
【図３】
2020025736.tif 000005
【図４】
2020025736.tif 000006
【図５】
2020025736.tif 000007
【図６】
2020025736.tif 000008
【図７】
2020025736.tif 000009
【図８】
2020025736.tif 000010
【図９】
2020025736.tif 000011